(57)【要約】【課題】オフィスビルなどの建物の天井に線状開口構造が設けられた構成において、容易な設置作業を実現しつつ、各ユーザの不快感を個別に解消して快適な空間を提供することができる空調設備の線状開口構造を提供する。【解決手段】線状開口構造１０は、オフィスビルの天井板２に設けられ、ダクトを介して空調装置に接続された線状吹出口２０，２０を備えている。この線状開口構造１０は、一対の枠体２１，２１間に延在する線状吹出口２０の幅方向両側に配置され、線状吹出口２０の長手方向に沿って延設された一対のレール２２，２２と、一対のレール２２，２２に移動可能に取り付けられ、線状吹出口２０の一部を閉塞する複数のシャッタセル５０，５０，・・・とを備える。【選択図】図３
2018054266.tif 000002
【特許請求の範囲】
【請求項１】
建物の天井板に設けられ、空調装置に接続された少なくとも１つの線状吹出口を備える空調設備の線状開口構造であって、
前記線状吹出口の幅方向両側に配置され、前記線状吹出口の長手方向に沿って延設された一対のレールと、
前記一対のレールに移動可能に取り付けられ、前記線状吹出口の一部を閉塞する少なくとも１つのシャッタセルと、
を備えることを特徴とする空調設備の線状開口構造。
【請求項２】
前記シャッタセルは、前記一対のレールに掛け渡すように配置された非可撓性セル本体と、前記非可撓性セル本体の両側部に設けられ、前記一対のレールとそれぞれ係合する両フランジ部とを有し、前記一対のレールにスライド可能に取り付けられることを特徴とする、請求項１記載の空調設備の線状開口構造。
【請求項３】
前記両フランジ部は、前記非可撓性セル本体の側面に沿って延設し且つ互いに対向配置された上側板部及び下側板部を有し、
前記上側板部及び前記下側板部の間に前記レールが遊嵌されることを特徴とする、請求項２記載の空調設備の線状開口構造。
【請求項４】
前記一対のレールは、前記線状吹出口の幅方向両側にそれぞれ取り付けられた一対のレール本体と、前記一対のレール本体にその長手方向に沿ってそれぞれ延設された一対の線状膨出部とを有し、
前記シャッタセルは、前記一対のレール間で鉛直方向上向き或いは下向きに湾曲して弾性変形可能な可撓性セル本体と、前記可撓性セル本体の両側部に設けられ、前記一対の線状膨出部とそれぞれ係合可能な一対の溝部とを有し、前記一対のレールに着脱可能に取り付けられることを特徴とする、請求項１記載の空調設備の線状開口構造。
【請求項５】
前記可撓性セル本体が鉛直方向上向きに湾曲したとき、前記可撓性セル本体の幅方向に生じた弾性力により、前記一対の溝部がそれぞれ前記一対の線状膨出部に密着し、
前記可撓性セル本体が鉛直方向下向きに湾曲したときに、前記可撓性セル本体の幅方向に生じた弾性力が失われて、前記一対の溝部が前記一対の線状膨出部から離間する、
ことを特徴とする、請求項４記載の空調設備の線状開口構造。
【請求項６】
前記線状膨出部は、幅方向断面円形であり、
前記溝部は、幅方向断面Ｕ字型であり、
前記可撓性セル本体が鉛直方向上向きに湾曲したとき、前記溝部の内周面が、前記線状膨出部の外周面に密着することを特徴とする、請求項５記載の空調設備の線状開口構造。
【請求項７】
前記シャッタセルは、前記可撓性セル本体の下面に取り付けられた取っ手部を更に備えることを特徴とする、請求項４記載の空調設備の線状開口構造。
【請求項８】
複数の前記シャッタセルが、前記一対のレールの長手方向に沿って列設されることを特徴とする、請求項１乃至７のいずれか１項に記載の空調設備の線状開口構造。
【発明の詳細な説明】
【技術分野】
【０００１】
本発明は、空調設備の線状開口構造に関し、特にオフィスビル等の建物の天井に設けられた線状吹出口及び線状吸込口に取り付けられる線状開口構造に関する。
【背景技術】
【０００２】
従来、オフィスビルなどの床面積が大きい建物の天井には、蛍光灯などの長尺状の照明器具に沿って配置された空調用の線状吹出口が採用されている。また、外気温と室温の影響に因って温度差が生じ易いペリメータゾーンには、部屋を効率的に空調するべくブリーズラインと呼ばれる複数の線状吹出口が設けられている。しかしながら、このような線状吹出口を空調設備の吹出口として用いると、当該線状吹出口の配置に因っては、吹き出された気流が直接当たることによる不快感をユーザに与えたり、暑さや寒さなどの不快感を与える場合がある。この問題を解消するべく、例えば、細長い開口から吹き出された空気の風向きを変えるブレードと、該ブレードの上端に取り付けられた長尺状の空気遮断板とを設け、ブレードをモータで揺動して空気の風向を変えると共に、空気遮断板によって開口を遮断したときには空気の吹き出しを停止することが可能な風向変更機構が提案されている（特許文献１）。
【０００３】
また、集合住宅において２つの居室に対応する天井部分に形成されたスリットと、該スリットの長手方向両側に延設された２つの吹出口ガイドと、２つの吹出口ガイドに移動可能に設けられた吹出口と、吹出口が配置されていない箇所に着脱自在に設けられた蓋と、天井の裏側に延設され、吹出口と空調機とを連通する可撓性ダクトとを備える可動型空調設備が提案されている。この可動型空調設備によれば、可動式間仕切壁を移動して居室空間を変更した場合に、スリットに沿って吹出口の取付け位置を変更することで、変更後の居室を空調することができるとされている（特許文献２）。
【先行技術文献】
【特許文献】
【０００４】
【特許文献１】特開２００４−６１０８６号公報
【特許文献２】特開平１１−９４３４３号公報
【発明の概要】
【発明が解決しようとする課題】
【０００５】
しかしながら、上記特許文献１の技術では、１つの細長い開口単位で風向き変更或いは空気遮断が可能であるものの、当該開口のうちの一部分の風向き変更や部分的な閉塞を行うことはできない。このため、例えば細長い開口の長手方向に沿って複数のユーザのデスクが並設されている場合、居住するユーザが不在である空間部分にも空気が吹き出されて、空調エネルギーや送風エネルギーを無駄に消費するという問題がある。また、気流や温度の体感は様々であるため、気流や温度に因って生じるユーザの不快感を個別に解消することができない。更に、細長い開口毎に個別にモータを設置し、各モータに電源供給のための電線を配索しなければならないため、多数の吹出口が設置される建物に適用する場合、設置作業が煩雑である。
【０００６】
また、上記特許文献２の技術では、吹出口の形状は略円形であり、スリットの吹出口が配置されていない箇所には蓋が取り付けるため、床面積が大きい建物に適用した場合、部屋を効率的に空調することができない可能性がある。また、居室空間のレイアウト変更に応じて吹出口の位置を変更することができるものの、線状吹出口のうちの一部分の風向き変更や部分的な閉塞を行うことについての開示は一切無い。
【０００７】
本発明の目的は、オフィスビルなどの建物の天井に線状開口構造が設けられた構成において、容易な設置作業を実現しつつ、各ユーザの不快感を個別に解消して快適な空間を提供することができる空調設備の線状開口構造を提供することにある。
【課題を解決するための手段】
【０００８】
本発明に係る空調設備の線状開口構造は、建物の天井板に設けられ、空調装置に接続された少なくとも１つの線状吹出口を備える空調設備の線状開口構造であって、前記線状吹出口の幅方向両側に配置され、前記線状吹出口の長手方向に沿って延設された一対のレールと、前記一対のレールに移動可能に取り付けられ、前記線状吹出口の一部を閉塞する少なくとも１つのシャッタセルとを備えることを特徴とする。
【０００９】
前記シャッタセルは、前記一対のレールに掛け渡すように配置された非可撓性セル本体と、前記非可撓性セル本体の両側部に設けられ、前記一対のレールとそれぞれ係合する両フランジ部とを有し、前記一対のレールにスライド可能に取り付けられてもよい。
【００１０】
前記両フランジ部は、前記非可撓性セル本体の側面に沿って延設し且つ互いに対向配置された上側板部及び下側板部を有し、前記上側板部及び前記下側板部の間に前記レールが遊嵌される。
【００１１】
また、前記一対のレールは、前記線状吹出口の幅方向両側にそれぞれ取り付けられた一対のレール本体と、前記一対のレール本体にその長手方向に沿ってそれぞれ延設された一対の線状膨出部とを有し、前記シャッタセルは、前記一対のレール間で鉛直方向上向き或いは下向きに湾曲して弾性変形可能な可撓性セル本体と、前記可撓性セル本体の両側部に設けられ、前記一対の線状膨出部とそれぞれ係合可能な一対の溝部とを有し、前記一対のレールに着脱可能に取り付けられてもよい。
【００１２】
前記可撓性セル本体が鉛直方向上向きに湾曲したとき、前記可撓性セル本体の幅方向に生じた弾性力により、前記一対の溝部がそれぞれ前記一対の線状膨出部に密着し、前記可撓性セル本体が鉛直方向下向きに湾曲したときに、前記可撓性セル本体の幅方向に生じた弾性力が失われて、前記一対の溝部が前記一対の線状膨出部から離間する。
【００１３】
前記線状膨出部は幅方向断面円形であり、且つ前記溝部は幅方向断面Ｕ字型であるのが好ましく、前記可撓性セル本体が鉛直方向上向きに湾曲したとき、前記溝部の内周面が、前記線状膨出部の外周面に密着する。
【００１４】
前記シャッタセルは、前記可撓性セル本体の下面に取り付けられた取っ手部を更に備えてもよい。
【００１５】
複数の前記シャッタセルが、前記一対のレールの長手方向に沿って列設されるのが好ましい。
【発明の効果】
【００１６】
本発明に係る空調設備の線状開口構造によれば、一対のレールが線状吹出口の幅方向両側に配置され、且つ当該線状吹出口の長手方向に沿って延設された少なくとも１つのシャッタセルが、一対のレールに移動可能に取り付けられ、且つ線状吹出口の一部を閉塞するので、シャッタセルを一対のレールに沿って移動させて線状吹出口の任意の一部を閉塞することができる。また、従来の線状吹出口に一対のレールを配置し、一対のレールにシャッタセルを取り付けるだけの簡単な作業で本発明の線状開口構造を設置することができる。したがって、容易な設置作業を実現しつつ、省エネルギー化を促進することができ、加えて各ユーザの不快感を個別に解消して快適な空間を提供することができる。
【図面の簡単な説明】
【００１７】
【図１】本発明の第１実施形態に係る空調設備の線状開口構造を示す図である。
【図２】図１の線状開口構造の見上げ図である。
【図３】（ａ）は、図２の線状開口構造の部分斜視図であり、（ｂ）は、側面図である。
【図４】（ａ）は、図３におけるシャッタセルの構成を示す斜視図であり、（ｂ）は、線Ｉ−Ｉに沿う断面図である。
【図５】図１の線状開口構造の使用方法を説明する図である。
【図６】（ａ）は、本発明の第２実施形態に係る空調設備の線状開口構造を示す部分断面図であり、（ｂ）は、(ａ)におけるシャッタセルの構成を示す斜視図である。
【図７】（ａ）及び（ｂ）は、図６（ｂ）のシャッタセルの着脱方法を説明する図である。
【発明を実施するための形態】
【００１８】
以下、本発明の実施形態を図面を参照しながら詳細に説明する。
【００１９】
図１は、本発明の第１実施形態に係る空調設備の線状開口構造を示す図であり、図２は、図１の線状開口構造の見上げ図である。本第１実施形態における空調設備を構成する空調装置は、建物内の部屋１を画定する天井板２の天井裏に設置されており、天井板２に設けられた線状開口構造１０を介して、部屋１内の空調対象空間３に対して空調を施すものである。以下、本実施形態に係る空調設備の線状開口構造を、オフィスビルに適用した場合を例に挙げて説明する。
【００２０】
線状開口構造１０は、オフィスビルの天井板２に設けられ、後述するダクトを介して不図示の空調装置に接続された線状吹出口２０と、後述するダクトを介して空調装置に接続された線状吸込口３０とを備えている。天井板２には、互いに平行配置された長尺状の一対の光源４ａ，４ａを有する照明装置４が複数列設されており、これら列設された複数の照明装置４，４，・・・からなる照明装置群４Ａの複数が並設されている。線状吹出口２０は照明装置群４Ａの幅方向一端側に、線状吸込口３０は照明装置群４Ａの幅方向他端側に配置されている。すなわち、線状吹出口２０及び線状吸込口３０は、一の照明装置群４Ａを挟み込むようにその両側に配置されており、空調対象空間３への空気導入を効率的に行うことが可能となっている。照明装置群４Ａは、例えば不図示の吊下げ部材にて躯体に吊り下げられている。
【００２１】
線状吹出口２０は、所定間隔で近接配置された一対の枠体２１，２１間に形成され、線状吸込口３０は所定間隔で近接配置された一対の枠体３１，３１間に形成されている。一対の枠体２１，２１及び一対の枠体３１，３１は、吊りボルト７にて躯体５に吊り下げられている。天井板２は、これら枠体２１及び枠体３１に引っ掛けるようにして支持されている。なお、天井板２は、照明装置群４Ａに引っ掛けるようにして支持されてもよい。
【００２２】
線状吹出口２０の上部にはチャンバ４１が取り付けられており（図３（ｂ））、チャンバ４１にはダクト４２を介して不図示の空調装置が接続されている。チャンバ４１は、線状吹出口２０の長手方向に沿って線状に形成されるのが好ましく、ダクト４２は、蛇腹状の可撓性筒部材であるのが好ましい。これにより、不図示の空調装置から排出された空気が、ダクト４２及びチャンバ４１を介して線状吹出口２０に供給される。
【００２３】
線状吸込口３０の上部にはチャンバ４３が取り付けられており（図３（ｂ））、チャンバ４３にはダクト４４を介して不図示の空調装置が接続されている。チャンバ４３は、チャンバ４１と同様、線状吸込口３０の長手方向に沿って線状に形成されるのが好ましく、ダクト４４は、ダクト４２と同様、蛇腹状の可撓性筒部材であるのが好ましい。これにより、空調対象空間３に供給された空気が、チャンバ４３及びダクト４４を介して不図示の空調装置に戻る。
【００２４】
線状開口構造１０は、一対の枠体２１，２１間に延在する線状吹出口２０の幅方向両側に配置され、線状吹出口２０の長手方向に沿って延設された一対のレール２２，２２と、一対のレール２２，２２に移動可能に取り付けられ、線状吹出口２０の一部を閉塞する複数のシャッタセル５０，５０，・・・とを備えている。一対のレール２２，２２は、それぞれ一対の枠体２１，２１の側面に一体で設けられている。また、複数のシャッタセル５０，５０，・・・は、線状吹出口２０の長手方向に沿って列設されている（図２）。
【００２５】
また、線状開口構造１０は、一対の枠体３１，３１間に延在する線状吸込口３０の幅方向両側に配置され、線状吸込口３０の長手方向に沿って延設された一対のレール３２，３２と、一対のレール３２，３２に移動可能に取り付けられ、線状吸込口３０の一部を閉塞する複数のシャッタセル５０，５０，・・・とを備えている。一対のレール３２，３２は、それぞれ一対の枠体３１，３１の側面に一体で設けられている。本実施形態では、線状吸込口３０に取り付けられるシャッタセル５０の構成及び配置は、線状吹出口２０に取り付けられるシャッタセル５０の構成及び配置と同一であるので、その説明を省略する。
【００２６】
シャッタセル５０は、具体的には、図４（ａ）及び（ｂ）に示すように、一対のレール２２，２２に掛け渡すように配置された非可撓性セル本体５１と、非可撓性セル本体５１の両側部に設けられ、一対のレール２２，２２とそれぞれ係合する両フランジ部５２とを有しており、一対のレール２２，２２にスライド可能に取り付けられる。このシャッタセル５０は、対向配置された略矩形の２つの板材に他の板材を介装し、これら板材を溶接、接着等で固定することにより形成されている。
【００２７】
両フランジ部５２は、非可撓性セル本体５１の側面に沿って延設し且つ互いに対向配置された上側板部５３及び下側板部５４を有しており、これら上側板部５３及び下側板部５４の間にレール２２が遊嵌される。両フランジ部５２は、例えば幅方向断面矩形であり、レール２２は、例えば幅方向断面甲丸型であり、レール２２と両フランジ部５２との遊嵌部分における抵抗が生じ難いように形成されている。
【００２８】
シャッタセル５０は、対向配置された略矩形の２つの板材に他の板材を介装し、これら板材を溶接、接着等で固定することにより形成されるが、これに限られない。例えば、シャッタセルは、扁平な角筒と、該角筒の幅方向両側に取り付けられたＣ型チャンネル部材とで形成されてもよい。この場合、シャッタセルを構成する角筒は、中実の角材であってもよい。
【００２９】
上記の線状開口構造１０が適用されるオフィスビルにおいて、例えば図５に示すように、線状吹出口２０の直下或いはその近傍に、線状吹出口２０の長手方向に沿ってデスクＤ１，Ｄ２，Ｄ３が並設されているレイアウトを想定する。デスクＤ１，Ｄ２がユーザＵ１，Ｕ２によって使用されており、デスクＤ３が使用されていない場合、シャッタセル５０を一対のレール２２，２２に沿ってスライドさせて、当該シャッタセル５０をデスクＤ３の直上或いはその近傍に移動させる。この結果、線状吹出口２０のうち、デスクＤ３の直上或いはその近傍に対応する一部分が閉塞され、空調を要しないデスクＤ３周りの空間部分に空気が吹き出されない。この結果、ユーザが居ないデスクＤ３周りの空間部分の空調が抑制され、ユーザＵ１，Ｕ２のデスクＤ１，Ｄ２周りなど、空調が必要とされる空間部分の空調が行われる。
【００３０】
また、線状吹出口２０から吹き出された気流がデスクＤ１のユーザＵ１に直接当たるか、或いはユーザＵ１に暑さや寒さなどの不快感を与えている場合、シャッタセル５０を一対のレール２２，２２に沿ってスライドさせて、当該シャッタセル５０をデスクＤ１の直上或いはその近傍に移動させる。この結果、線状吹出口２０のうち、デスクＤ１の直上或いはその近傍に対応する一部分が閉塞され、デスクＤ１に相当する空間部分に空気が吹き出されることがない。よって、ユーザＵ１周りの空間部分の空調が抑制され、ユーザＵ１の不快感が改善される。
【００３１】
上述したように、第１実施形態によれば、一対のレール２２，２２が線状吹出口２０の幅方向両側に配置され、且つ当該線状吹出口２０の長手方向に沿って延設された複数のシャッタセル５０，５０，・・・が、一対のレール２２，２２に移動可能に取り付けられ、且つ線状吹出口２０の一部を閉塞するので、シャッタセル５０を一対のレール２２，２２に沿って移動させて線状吹出口２０の任意の一部、例えば空調を要しない空間部分に対応する一部や、不快感のあるユーザが居住する空間部分に対応する一部を閉塞することができる。また、従来の線状吹出口２０に一対のレール２２，２２を配置し、一対のレール２２，２２にシャッタセル５０を取り付けるだけの簡単な作業で本実施形態の線状開口構造１０を設置することができる。したがって、モータなどの駆動機構を要せずに容易な設置作業を実現しつつ、必要な空間部分のみに空調空気を送風することで省エネルギー化を促進することができ、加えて各ユーザの不快感を個別に解消して快適な空間を提供することができる。
【００３２】
また、シャッタセル５０は、一対のレール２２，２２に掛け渡すように配置された非可撓性セル本体５１と、非可撓性セル本体５１の両側部に設けられ、一対のレール２２，２２とそれぞれ係合する両フランジ部５２とを有し、一対のレール２２，２２にスライド可能に取り付けられるので、一対のレールに沿ってスライドさせるだけで線状吹出口２０の任意の一部を閉塞することができる。
【００３３】
更に、両フランジ部５２が、非可撓性セル本体５１の側面に沿って延設し且つ互いに対向配置された上側板部５３及び下側板部５４を有し、上側板部５３及び下側板部５４の間にレール２２が遊嵌されるので、線状吹出口２０の幅方向の位置ずれが抑制され、シャッタセル５０のスライド時に当該シャッタセル５０が一対のレール２２，２２から脱落するのを防止することができる。
【００３４】
図６（ａ）は、本発明の第２実施形態に係る空調設備の線状開口構造を示す断面図であり、（ｂ）は、(ａ)におけるシャッタセルの構成を示す斜視図である。上記第１実施形態の線状開口構造ではシャッタセル５０が一対のレール２２，２２に着脱可能に取り付けられていないが、本第２実施形態のシャッタセルは、一対のレールに着脱可能に取り付けられる点で第１実施形態のシャッタセルと異なる。
【００３５】
図６（ａ）において、本第２実施形態に係る線状開口構造６０は、一対の枠体６１，６１間に延在する線状吹出口２０の幅方向両側に配置され、線状吹出口２０の長手方向に沿って延設された一対のレール６２，６２と、一対のレール６２，６２に移動可能に取り付けられ、線状吹出口２０の一部を閉塞する複数のシャッタセル７０，７０，・・・とを備えている。複数のシャッタセル７０，７０，・・・は、図２に示す複数のシャッタセル５０，５０，・・・と同様、線状吹出口２０の長手方向に沿って列設されている。
【００３６】
一対のレール６２，６２は、具体的には、線状吹出口２０の幅方向両側にそれぞれ取り付けられた一対のレール本体６３，６３と、一対のレール本体６３，６３にその長手方向に沿ってそれぞれ延設された一対の線状膨出部６４，６４とを有している。
レール本体６３，６３は、それぞれ一対の枠体６１，６１の下面に別体で設けられており、溶接、ボルト等により一対の枠体６１，６１に固定されている。一対の線状膨出部６４，６４は、それぞれレール本体６３，６３と一体で設けられており、一対の枠体６１，６１間に対向配置される。
【００３７】
シャッタセル７０は、図６（ｂ）に示すように、一対のレール６２，６２間で鉛直方向上向き或いは下向きに湾曲して弾性変形可能な可撓性セル本体７１と、可撓性セル本体７１の両側部に設けられ、一対の線状膨出部６４，６４とそれぞれ係合可能な一対の溝部７２，７２と、可撓性セル本体７１の下面に取り付けられた取っ手部７３とを有し、一対のレール６２，６２に着脱可能に取り付けられる。
【００３８】
可撓性セル本体７１は、例えば幅方向断面アーチ状であり、樹脂製のシート状部材からなる。一対の溝部７２，７２は、例えば幅方向断面Ｕ字型であり（図６（ａ））、可撓性セル本体７１と一体成形された樹脂製部材である。取っ手部７３は、可撓性セル本体７１と一体成形された樹脂製部材であり、可撓性セル本体７１の幅方向中央部から法線方向に突出している。
【００３９】
シャッタセル７０を一対のレール６２，６２に取り付ける場合、可撓性セル本体７１が鉛直方向下向きに湾曲した状態（初期状態）で、シャッタセル７０を一対のレール６２，６２に下方から近接させ、一対の溝部７２，７２に一対の線状膨出部６４，６４を収容させる（図７（ａ））。これにより、一対の溝部７２，７２が一対の線状膨出部６４，６４にある程度位置決めされ、シャッタセル７０の幅方向の移動が規制される。次に、一対の溝部７２，７２に一対の線状膨出部６４，６４が収容された状態で、シャッタセル７０を一対のレール６２，６２に沿って移動させて、線状吹出口２０の長手方向における取付け位置を決定する。このとき、シャッタセル７０の幅方向の移動が規制されているので、シャッタセル７０を線状吹出口２０の長手方向に沿って任意の位置に容易に移動可能であり、また、取付け位置の微調整を容易に行うことができる。
【００４０】
線状吹出口２０の長手方向におけるシャッタセル７０の取付け位置が決定された後、取っ手部７３を鉛直方向上方（図中の矢印方向）に押し上げ、当該取付け位置にて、可撓性セル本体７１を鉛直方向上向きに湾曲させる（図７（ｂ））。このとき、可撓性セル本体７１の幅方向に生じた弾性力により、一対の溝部７２，７２がそれぞれ一対の線状膨出部６４，６４に密着する。これにより、シャッタセル７０が一対のレール６２，６２に固定される。特に、線状膨出部６４が幅方向断面円形で、溝部７２が幅方向断面Ｕ字形である場合、可撓性セル本体７１が鉛直方向上向きに湾曲したとき、溝部７２の内周面７２ａが、線状膨出部６４の外周面６４ａに密着する。本構成によれば、溝部−線状膨出部間の接触面積が増大し、シャッタセル７０を確実に固定することができる。
【００４１】
一方、シャッタセル７０を一対のレール６２，６２から取り外す場合、取っ手部７３を鉛直方向下方に引っ張り、可撓性セル本体７１を鉛直方向下向きに湾曲させて、シャッタセル７０を初期状態に戻す。取っ手部７３を下方に引っ張る場合、ユーザが手で直接引っ張ってもよいし、天井が高い場合には、不図示の長尺状の治具を用いて引っ張ってもよい。また、取っ手部７３にはユーザの手或いは上記治具が係合可能な孔が設けられてもよい。このとき、可撓性セル本体７１の幅方向に生じた弾性力が失われて、一対の溝部７２，７２が一対の線状膨出部６４，６４から離間し、シャッタセル７０が一対のレール６２，６２から取り外される。
【００４２】
本第２実施形態によれば、シャッタセル７０は、一対のレール６２，６２間で鉛直方向上向き或いは下向きに湾曲して弾性変形可能な可撓性セル本体７１と、可撓性セル本体７１の両側部に設けられ、一対の線状膨出部６４，６４とそれぞれ係合可能な一対の溝部７２，７２とを有し、一対のレール６２，６２に着脱可能に取り付けられるので、容易な設置作業を実現しつつ、必要な空間部分のみに空調空気を送風することで省エネルギー化を促進することができ、加えて各ユーザの不快感を個別に解消して快適な空間を提供することができる。特に、シャッタセル７０が着脱可能であるので、一対のレール６２，６２に取り付けるシャッタセル７０の個数を必要に応じて容易に増減することができ、また、一対のレール６２，６２を一対の枠体６１，６１に取り付ける施工を行えば、その後にシャッタセル７０を自由に着脱して任意の位置に配置することができるので、設置の自由度が高い線状開口構造を提供することができる。
【００４３】
また、一対のレール６２，６２を一対の枠体６１，６１下面に取り付けるだけの施工でシャッタセル７０が取付け可能となり、更に、可撓性セル本体７１が弾性変形可能であるため、線状吹出口２０の幅方向寸法が異なる空調設備にも同じシャッタセル７０を用いることができ、新設の様々な空調設備の線状吹出口に適用することができると共に、既設の線状吹出口にも適用し易く、汎用性の高い線状開口構造を提供することができる。
【００４４】
以上、上記実施形態に係る空調設備の線状開口構造について述べたが、本発明は記述の実施形態に限定されるものではなく、本発明の技術思想に基づいて各種の変形および変更が可能である。
【００４５】
例えば、上記第１実施形態では、線状吹出口２０及び線状吸込口３０が一の照明装置群４Ａを挟み込むようにその両側に配置されているが、２つの線状吹出口が一の照明装置群を挟み込むようにその両側に配置され、２つの線状吸込口が他の照明装置群を挟み込むようにその両側に配置されてもよい。また、一の照明装置群に少なくとも１つの線状吹出口２０が設けられていてもよいし、一の照明装置群に少なくとも１つの線状吸込口３０が設けられていてもよい。
【００４６】
また、１つの線状吹出口２０に複数のシャッタセル５０が取り付けられているが、１つの線状吹出口２０に少なくとも１つのシャッタセル５０が取り付けられていてもよい。
【００４７】
また、１つの線状吸込口３０に複数のシャッタセル５０が取り付けられているが（図１）、１つの線状吸込口３０に少なくとも１つのシャッタセル５０が取り付けられていてもよいし、線状吹込口３０にシャッタセル５０が取り付けられなくてもよい。
【００４８】
線状開口構造１０では、シャッタセル５０が一対のレール２２，２２に着脱可能に取り付けられていないが、シャッタセル５０が、ボルト・ナットなどの締結部材で組立可能に構成され、一対のレール２２，２２に着脱可能に取り付けられてもよい。
【００４９】
上記第２実施形態では、一対のレール６２，６２が一対の線状膨出部６４，６４を有し、シャッタセル７０が一対の線状膨出部６４，６４とそれぞれ係合可能な一対の溝部７２，７２を有するが、これに限られない。レール６２及びシャッタセル７０の一方が線状凸部を有し、他方が線状凹部を有していてもよい。
【００５０】
また、可撓性セル本体７１は、幅方向断面アーチ状であるが、これに限らず、幅方向断面波状など、弾性変形可能な他の形状であってもよい。
【００５１】
また、シャッタセル７０は、金属基部と、該金属基部を埋設するように一体成形された樹脂被覆部からなるものであってもよい。また、シャッタセル７０の可撓性セル本体と一対の溝部とを別部材で構成し、可撓性セル本体７１が弾性変形可能な材料、一対の溝部７２，７２が高剛性の材料で形成されてもよい。
【００５２】
また、上記実施形態では、一の線状吹出口２０にシャッタセル５０及びシャッタセル７０のいずれか一方が取り付けられるが、一の線状吹出口２０にシャッタセル５０及びシャッタセル７０の双方が取り付けられてもよい。
【００５３】
また、上記第２実施形態では、シャッタセル７０が線状吹出口２０に取り付けられているが、これに限らず、線状吸込口３０に取り付けられてもよい。また、１つの線状吹出口２０に少なくとも１つのシャッタセル７０が取り付けられてもよく、１つの線状吸込口３０に少なくとも１つのシャッタセル７０が取り付けられてもよい。
【産業上の利用可能性】
【００５４】
本発明の空調設備の線状開口構造は、オフィスビルのみならず、ビル、病院、工場などの建物に適用することができる。また、本発明の空調設備の線状開口構造は、教育施設、医療施設、研究施設、生産施設、商業施設などの各種施設に適用することができる。
【符号の説明】
【００５５】
１  部屋
２  天井板
３  空調対象空間
４  照明装置
４ａ  光源
４Ａ  照明装置群
５  躯体
７  吊りボルト
１０  線状開口構造
２０  線状吹出口
２１，２１  一対の枠体
２１  枠体
２２，２２  一対のレール
２２  レール
３０  線状吸込口
３１，３１  一対の枠体
３２，３２  一対のレール
４１，４３  チャンバ
４２，４４  ダクト
５０  シャッタセル
５１  非可撓性セル本体
５２  両フランジ部
５３  上側板部
５４  下側板部
６０  線状開口構造
６１，６１  一対の枠体
６２，６２  一対のレール
６３，６３  一対のレール本体
６４，６４  一対の線状膨出部
６４ａ  外周面
７０  シャッタセル
７１  可撓性セル本体
７２，７２  一対の溝部
７２ａ  内周面
７３  取っ手部
Ｄ１，Ｄ２，Ｄ３  デスク
Ｕ１，Ｕ２  ユーザ
【図１】
2018054266.tif 000003
【図２】
2018054266.tif 000004
【図３】
2018054266.tif 000005
【図４】
2018054266.tif 000006
【図５】
2018054266.tif 000007
【図６】
2018054266.tif 000008
【図７】
2018054266.tif 000009